(57)【要約】【課題】  種々の磁気記録媒体に記録された情報を非破壊でかつ高感度で再生する磁気情報再生装置および磁気転写素子を提供する。【解決手段】  情報が記録された磁気記録媒体１１と、磁気記録媒体１１の磁化状態を転写する磁気転写素子１２と、磁気転写素子１２に直線偏光のビームを照射する光源系２０と、磁気転写素子１２により偏光されたビームから情報を再生する再生系３０と、トラック方向を検出するトラック方向検出系４０等から構成する。磁気転写素子１２の表面に偏光器２３によりビームを走査して磁化状態を検出し、トラック方向検出系４０により走査方向とトラック方向との偏差角を検出し、走査制御部２６により走査方向をトラック方向に一致させる。磁気転写素子の磁性ガーネット膜の鉄原子をＩｎ原子により置換して良好な転写を得る。【選択図】  図１
2006099864.tif 000002
【特許請求の範囲】
【請求項１】
情報が記録されたトラックを有する磁気記録媒体と、
前記磁気記録媒体に近接して配置され、前記トラックに対応して磁気的に形成された転写トラックを有する磁気転写素子と、
前記磁気転写素子に光ビームを照射すると共に、該光ビームを走査する走査手段と、
前記磁気転写素子から反射された光ビームにより情報を読み出す再生手段と前記磁気転写素子から反射された光ビームに基づいて前記光ビームの走査方向と転写トラックの長手方向との偏差を検出するトラック長手方向検出手段と、
前記トラック長手方向検出手段から供給される偏差に対応する信号に基づいて走査手段の走査方向を制御する走査制御部と、を備える磁気情報再生装置。
【請求項２】
前記磁気転写素子は、Ａ3Ｂ5Ｏ12（Ａは希土類元素のサイトの原子、Ｂは鉄元素を含むサイトの原子を示す）で表される組成の磁性ガーネット膜を有し、
前記磁性ガーネット膜が、１分子当たりＡにＢｉ原子を０．２以上かつ１．０以下を含み、ＢにＩｎ原子を０．２以上かつ１．２以下を含むことを特徴とする請求項１記載の磁気情報再生装置。
【請求項３】
前記磁気記録媒体は磁気テープであり、
前記磁気転写素子は、磁気テープと対向すると共に、磁気テープの幅方向の領域をほぼ覆うように配置されてなることを特徴とする請求項１または２記載の磁気情報再生装置。
【請求項４】
前記走査手段は、前記光ビームの入射方向に対して垂直な面内において２次元方向に走査する偏向器を含むことを特徴とする請求項１〜３のうち、いずれか一項記載の磁気情報再生装置。
【請求項５】
前記偏向器は、偏向方向が一軸方向である一軸偏向部を２つ備え、前記垂直な面内において該偏向方向を互いに直交するように配設したことを特徴とする請求項４記載の磁気情報再生装置。
【請求項６】
前記一軸偏光部は、音響光学素子およびガルバノミラーのいずれからなることを特徴とする請求項５記載の磁気情報再生装置。
【請求項７】
前記走査手段は、偏向器の出射側にｆθレンズを備えることを特徴とする請求項４〜６のうち、いずれか一項記載の磁気情報再生装置。
【請求項８】
記録された情報に対応する磁化状態を有する磁気記録媒体に近接して配置し、前記磁化状態に対応して磁化される磁性ガーネット膜を備え、磁性ガーネット膜の磁化状態を光学的に検出する磁気転写素子であって、
前記磁性ガーネット膜は、Ａ3Ｂ5Ｏ12（Ａは希土類元素のサイトの原子、Ｂは鉄元素を含むサイトの原子を示す）で表される組成を有し、
１分子当たりＡにＢｉ原子を０．２以上かつ１．０以下を含み、ＢにＩｎ原子を０．２以上かつ１．２以下を含むことを特徴とする磁気転写素子。
【請求項９】
前記磁性ガーネット膜は、Ｂには一分子当たりＧａ原子を０．１以上かつ２．０以下を含むことを特徴とする請求項８記載の磁気転写素子。
【発明の詳細な説明】
【技術分野】
【０００１】
本発明は種々の磁気テープやディスク等の磁気記録媒体に記録された情報を再生する磁気情報再生装置および磁気転写素子に関する。
【背景技術】
【０００２】
磁気記録媒体は、半導体メモリと比較して、大容量・記録情報の不揮発性・長期信頼性・低コスト等の特長を有し、磁気記録媒体を用いた記録再生装置は、大型コンピュータシステムの磁気ディスク装置やバックアップのための磁気テープ装置や放送用のビデオ装置等の業務用途から、家庭でのビデオ装置や音楽録音再生装置等の民生用途まで幅広く用いられている。
【０００３】
一般に、ビデオ装置では、音声信号は磁気テープを長手方向に走行させ、静止ヘッドにより記録し、磁気テープの長手方向に平行なトラックが形成される。一方、画像信号は、回転するシリンダーに取り付けられた磁気ヘッドにより、磁気テープの長手方向に対し傾けて記録され、磁気テープの長手方向に対して斜めにトラックが形成される。
【０００４】
一方、記録されている磁気情報を再生するためには、磁気再生ヘッドで磁気テープに記録されたトラックの上を正確に走査して、磁気テープから漏洩する磁界を検知し、電圧あるいは電流に変換して磁気情報を再生する。
【０００５】
ビデオ装置では、記録密度の向上や装置の小型化に伴って、種々の記録フォーマットが使用されている。これらの記録フォーマットは通常は互いに互換性がなく、再生するためにはそれぞれの記録フォーマットに専用のビデオ装置が必要である。
【非特許文献１】野村、徳丸  「磁性ガーネット膜を利用した光磁気読み出し」  電子通信学会論文誌  Ｖｏｌ．Ｊ６７−Ｃ  Ｎｏ．１１  ｐ．８７１  （１９８４）
【発明の開示】
【発明が解決しようとする課題】
【０００６】
しかしながら、数十年に亘ってそれぞれの記録フォーマットに専用のビデオ装置を維持することは、技術的、さらに保守部品の確保という面で困難であるという問題がある。
【０００７】
また、貴重な情報が記録された磁気テープは、ビデオ装置の記録フォーマットがかわるたびにダビングを行って記録フォーマットを変換する作業が必要であり、年々増加する磁気テープのライブラリに対してこのような作業を続けることは莫大な費用を要するという問題がある。
【０００８】
そこで、本発明は上記問題点に鑑みてなされたもので、本発明の目的は、種々の磁気記録媒体に記録された情報を非破壊でかつ高感度で再生する磁気情報再生装置および磁気転写素子を提供することである。
【課題を解決するための手段】
【０００９】
本発明の一観点によれば、情報が記録されたトラックを有する磁気記録媒体と、前記磁気記録媒体に近接して配置され、前記トラックに対応して磁気的に形成された転写トラックを有する磁気転写素子と、前記磁気転写素子に光ビームを照射すると共に、該光ビームを走査する走査手段と、前記磁気転写素子から反射された光ビームにより情報を読み出す再生手段と前記磁気転写素子から反射された光ビームに基づいて前記光ビームの走査方向と転写トラックの長手方向との偏差を検出するトラック長手方向検出手段と、前記トラック長手方向検出手段から供給される偏差に対応する信号に基づいて走査手段の走査方向を制御する走査制御部と、を備える磁気情報再生装置が提供される。
【００１０】
本発明によれば、磁気記録媒体の情報が記録されたトラックが磁気転写素子に転写され、ビームを走査して磁気的に形成された転写トラックの長手方向を検出する。このようにして検出された転写トラックに沿ってビームを走査して再生することにより、種々のフォーマットを有する磁気記録媒体のトラックに記録された情報を確実に再生することができる。
【００１１】
本発明の他の観点によれば、記録された情報に対応する磁化状態を有する磁気記録媒体に近接して配置し、前記磁化状態に対応して磁化される磁性ガーネット膜を備え、磁性ガーネット膜の磁化状態を光学的に検出する磁気転写素子であって、前記磁性ガーネット膜は、Ａ3Ｂ5Ｏ12（Ａは希土類元素のサイトの原子、Ｂは鉄元素を含むサイトの原子を示す）で表される組成を有し、１分子当たりＡにＢｉ原子を０．２以上かつ１．０以下を含み、ＢにＩｎ原子を０．２以上かつ１．２以下を含むことを特徴とする磁気転写素子が提供される。
【００１２】
本発明によれば、磁性ガーネット膜の組成を上記のように設定することで、磁気記録媒体に記録された情報を確実に転写するとともに、ファラデー回転角を増加させ、Ｓ／Ｎ比の向上を図る磁気転写素子を実現できる。
【発明の効果】
【００１３】
本発明によれば、転写トラックの長手方向にビームを走査して検出し、転写トラックに沿ってビームを走査して再生することにより、種々のフォーマットを有する磁気記録媒体のトラックに記録された情報を確実に再生することができる。
【発明を実施するための最良の形態】
【００１４】
以下図面を参照しつつ実施の形態を説明する。
【００１５】
図１は、本発明の実施の形態に係る磁気情報再生装置の構成図である。図１を参照するに、本実施の形態の磁気情報再生装置１０は、情報が記録された磁気記録媒体１１と、磁気記録媒体１１の磁化状態を転写する磁気転写素子１２と、磁気転写素子１２に直線偏光のビームを照射する光源系２０と、磁気転写素子１２により反射されたビームから情報を再生する再生系３０と、トラック方向を検出するトラック方向検出系４０等から構成される。なお、図１では磁気記録媒体１１を移動させる媒体駆動系を省略している。また、ここでは磁気記録媒体１１として磁気テープを例に説明し、その符号を磁気記録媒体１１と同じ符号を付す。
【００１６】
磁気情報再生装置１０は、磁気テープ１１に記録された情報を磁気転写素子１２に磁気的に転写させ、磁気転写素子１２にビームを照射することで、転写された情報をファラデー効果を利用して検出するものである。
【００１７】
光源系２０は、光源２１と、光源２１から出射されたビームを直線偏光に変換する偏光子２２と、ビームの方向を進行方向に対して垂直な面内の互いに垂直な２軸のそれぞれの方向に偏向可能な偏向器２３と、ｆθレンズ２４と、直線偏光のビームを透過すると共に、磁気転写素子１２から反射した光を再生系３０等に入射させるビームスプリッター２５から構成される。
【００１８】
光源２１は、特に制限はなく、紫外光、可視光、および赤外光の光源のいずれを用いてもよく、光源２１は、例えばレーザが指向性の点で好ましく、特に小型、低消費電力の点で半導体レーザが好ましい。また、光源２１は、直線偏光のビームを出射することが好ましい。
【００１９】
偏光子２２は、例えば、偏光プリズムや２色性を利用したポーラロイド等からなり、光源が自然光の場合に直線偏光に変換する。光源２１が直線偏光のビームを出射する場合は偏光子２２を設けなくてもよい。
【００２０】
偏向器２３は、ビームの入射方向（Ｚ方向）に対して垂直な面（ＸＹ面）においてビームの進行方向を偏向させる直列に配列した２つの一軸偏向部（不図示）から構成される。それぞれの一軸偏向部の偏向方向は互いに直交する方向に設定され、例えば一方の一軸偏向部がＸ方向（磁気テープ１４の幅方向に対応する。）に、他方の一軸偏向部がＹ方向（磁気テープ１４の長手方向に対応する。）に偏向方向が設定される。このように偏向方向を互いに垂直とした一軸偏向部を直列に配列することで、ＸＹ面の任意の方向にビームを偏向させることができ、その結果、磁気転写素子１２の任意の方向にビームを走査することができる。なお、２つの一軸偏向部の偏向方向を必ずしも直交させる必要はなく、互いに平行に設定しない限りその角度に制限はない。
【００２１】
また、偏向器２３は、具体的には、音響光学素子やガルバノメータからなり、一軸偏向部を一つの音響光学素子やガルバノミラーにより構成し、これらを直列に配列する。それぞれの一軸偏向部には、走査制御部２６から偏光角に対応する信号が供給され、偏向方向、偏向速度が制御される。一軸偏向部が音響光学素子の場合は、例えば供給される信号は、例えば電圧値に対応して偏光角が決まるようになっており、具体的には信号を電圧−周波数変換し、周波数に対応して音響光学素子内の単結晶に生じるフォノンの定在波の波面の角度が決まり、その波面によりビームが偏向され、偏向角が決まる。音響光学素子は小型化が容易な点で好ましい。後述するように、走査制御部２６には、ビーム走査方向とトラック方向との偏差角に対応する信号が供給され、その信号に応じて２つの一軸偏向部のそれぞれに走査方向に対応する電圧信号が供給される。偏光器２３に入射されるビームに対して、偏光器２３から出射されるビームは、磁気転写素子の磁化状態を走査する際は、偏向角速度一定に設定する。
【００２２】
ｆθレンズ２４は、偏向器２３により偏向された偏向角速度一定のビームを等速度のビームに変換する。すなわち、ｆθレンズ２４は、磁気転写素子１２の表面を走査するビームの走査速度を一定にする。このようにすることで、再生系において情報を復調回路により処理する際にクロックとの同期がし易くなり、位相ずれを抑制することができる。
【００２３】
ビームスプリッター２８は、特に制限はなく、プレート型あるいはキューブ型のいずれでもよい。直線偏光されたビームはビームスプリッター２８を透過し、磁気転写素子１２の表面に照射される。
【００２４】
図２は、磁気転写素子および磁気テープの拡大断面図である。図２を図１と合わせて参照するに、磁気転写素子１２は、基板１６の表面に磁性ガーネット膜１５が形成されてなり、磁性ガーネット膜１５側をベースフィルム１３上に磁性層１４が形成された磁気テープ１１の磁性層１４側に面するように配置されている。磁性ガーネット膜１５には、磁気テープ１１に記録された磁化１４ｍにより生じる漏洩磁界Ｈｅｘが印加され、基板１６面に垂直な方向に磁化される。そして、基板１６側から照射される直線偏光のビームが磁性ガーネット膜１５を透過し、その表面１５ａで反射され、再び磁性ガーネット膜１５を透過する。ビームが磁性ガーネット膜１５を２回通過することで、ファラデー回転角は２倍となり、Ｓ／Ｎ比の高い再生を行うことができる。
【００２５】
なお、磁性ガーネット膜１５の表面１５ａにＡｌ、Ｃｒからなる金属反射膜を設けてもよい。ビームの反射率が向上し、さらにＳ／Ｎ比を向上することができ、また、磁性ガーネット膜の保護膜としても機能する。また、硬度が磁気テープに含まれる研磨剤や磁気テープ保護膜と同程度かそれ以上の硬度の材料からなる保護膜を磁性ガーネット膜の表面や反射膜の表面に設けてもよい。保護膜としては例えば、水素化カーボン膜（ダイアモンドライクカーボン膜）やＳｉＣ膜等が挙げられる。
【００２６】
磁性ガーネット膜１５はフェリ磁性を有し、Ａ3Ｂ5Ｏ12（Ａは希土類元素のサイトの原子、Ｂは鉄元素を含むサイトの原子を示す。）で表される組成を有する。
【００２７】
本願発明者等は、磁気テープやフレキシブルディスクに記録された情報を確実に転写し得る磁性ガーネット膜の組成を鋭意探索し、以下の組成を見出したものである。すなわち、Ａ3Ｂ5Ｏ12の組成を、Ａには一分子当たりＢｉ原子を０．２以上かつ１．０以下に含有させることでファラデー回転角を増加できる。Ｂｉ原子が０．２未満になるとファラデー回転角が低下してしまう。
【００２８】
これと共に、Ｂには一分子当たりＩｎ原子を０．２以上かつ１．２以下に含有させることで、飽和磁化を増加できる。Ｉｎ原子が１．２を超えると飽和磁化が著しく低下し、１．３以上になるとＩｎ原子を含まない場合よりも低下してしまう。
【００２９】
磁性ガーネット膜１５をこのような組成にすることで、飽和磁化が増加するため磁気転写の感度が向上する。さらに、ファラデー回転角が大きいので転写された情報を良好なＳ／Ｎ比で再生できる。
【００３０】
さらに、Ａ3Ｂ5Ｏ12の組成を、Ｂには一分子当たりＧａ原子を０．１以上かつ２．０以下に設定することで、磁性ガーネット膜１５の保磁力を低減でき、残留磁化の小さな磁気テープ１１や線記録密度の高く漏洩磁界が小さい磁気テープ１１であっても、記録された情報が転写し易くなり、良好なＳ／Ｎ比の再生が可能となる。
【００３１】
磁性ガーネット膜１５は、その厚さを０．５μｍ〜１０μｍに設定することが、転写状態が良好な点で好ましい。また、磁性ガーネット膜１５は、保磁力を１００Ｏｅ（７．９ｋＡ／ｍ）以下に設定することが好ましい。漏洩磁界が小さい場合でも転写できる。
【００３２】
基板１６には、磁性ガーネット膜１５をエピタキシャル成長し得る非磁性基板が選択され、ガーネット構造を有する非磁性基板であることが好ましい。基板１６には、例えば、Ｇｄ3Ｇａ5Ｏ12、（ＧｄＧａ）3（ＺｒＭｇＧａ）5Ｏ12、Ｎｄ3Ｇａ5Ｏ12、（ＧｄＣａ）3（ＺｒＭｇＧａ）5Ｏ12を用いることが好ましい。
【００３３】
再生系３０は、検光子３１と、ビームをトラック方向検出系４０に反射すると共に透過してビームを分岐させるハーフミラー３２と、ハーフミラー３２を透過したビームを集光させる集光レンズ３３と、集光されたビームの光強度を検出する光検出器３４と、光検出器３４からの信号を増幅する増幅器３５と、増幅された信号から情報を取り出す復調回路等からなる信号処理回路３６から構成される。
【００３４】
再生系３０を構成する光部品は公知の光部品を用いることができる。例えば、検光子３１は、偏向面を偏光子２２に対してＳ／Ｎ比が良好な角度に適宜設定される。ハーフミラー３２は上述したビームスプリッター２５を用いてもよい。また、光検出器３４は、フォトダイオード等の公知の光検出器を用いることができ、集光位置の調整の便宜のため２分割フォトダイオードを用いてもよい。
【００３５】
トラック方向検出系４０は、ハーフミラー３２により反射されたビームを受光するイメージセンサ４１と、イメージセンサ４１からの信号を増幅する増幅器４２と、増幅された信号から走査方向とトラック方向との偏差角を算出し、その偏差角に対応する偏差角信号を走査制御部２６に供給するトラック方向検出部４３等から構成される。
【００３６】
イメージセンサ４１は２次元のイメージセンサ、例えばＣＣＤセンサーからなり、走査されたビームをイメージセンサ４１により磁気転写素子１２の磁性ガーネット膜１５に転写された磁化状態をイメージ化することができる。
【００３７】
図３は、磁気転写素子１２の磁性ガーネット膜の磁化状態を示す顕微鏡像である。図３は、磁気テープとしてビデオテープを用い、磁気転写素子１２とビデオテープを接触させて音声トラックの磁化状態が転写された磁性ガーネット膜の磁化状態を偏光顕微鏡により観察したものである。
【００３８】
図３を参照するに、磁性ガーネット膜は、音声トラックの磁化状態を反映し、磁化の方向に応じて濃淡が生じていることが確認できる。イメージセンサ４１によりこのような磁性ガーネット膜の磁化状態をイメージ化することができる。
【００３９】
トラック方向検出部４３は、イメージセンサ４１からの信号に基づいて、１つのトラック内をビームが走査しているかの検出を行い、さらにトラック方向と走査方向との偏差を検出する。
【００４０】
図４は、光ビームの走査方向とトラック方向との関係を説明するための模式図である。図４は、磁気テープ１１に磁気的に記録されたトラック１８に対応して、磁気転写素子１２に転写されたトラック１９を示している。また、ビームの走査方向をＤsc、磁気テープの走行方向をＤtpとする。
【００４１】
図４を参照するに、磁気転写素子１２に転写されたトラック１９は、磁気テープに記録されたトラック１８とほぼ同じように形成され、トラック１９に沿ってビームのスポットが走査される。例えばトラック１９からビームの走査が外れ、トラック１９間のガードバンドに相当する領域を走査した場合は、反射されたビームの変更面の回転角の変化がなくなり、イメージセンサにおいて、図３に示すような強度の強弱が無くなる。このことにより、トラック方向に沿って走査されているか否かを判定できる。さらに、例えば、トラック１９の開始位置からガードバンドに相当する信号が出現する位置によりトラック方向と走査方向との偏差、例えば両方向がなす偏差角を検出できる。
【００４２】
走査制御部２６は、上述した偏向器２３の２つの一軸偏向部のそれぞれの偏向角を変化させる速度を調整することで走査方向が設定される。
【００４３】
偏向器２３は、所定の方向、例えば磁気テープ１１のトラック方向に対応する方向にトラックの開始位置からトラックの終了位置までビームを走査し、ビームの強度をほぼ０として、次のトラックの開始位置に戻し、再びビームの強度を所定の強度にして同様に走査する。
【００４４】
次に、磁気情報再生装置１０を用いて磁気テープの情報を再生する方法を図１および図５を参照しつつ説明する。図５は再生方法を示すフローチャートである。
【００４５】
まず、未知のフォーマットを有する磁気テープ１１を、所定の移動速度で移動させながら、任意の方向、例えば磁気テープ１１の長手方向に偏光器２３によりビームを走査し、磁気転写素子１２に形成された転写トラックの方向を検出する（Ｓ１０２）。走査範囲は、例えば磁気転写素子１２の長さ（磁気テープの長手方向と同じ方向の長さ）よりも狭い範囲とし、繰り返し走査を行って、磁気転写素子１２に反射されたビームをイメージセンサ４１で検出し、トラック方向検出部４３により走査方向と転写トラック方向との偏差を検出する。
【００４６】
次いで、走査方向が転写トラックの長手方向との偏差が所定量より大きい場合、すなわちビームが転写トラックから外れる場合であるか否かを判定する（Ｓ１０４）。偏差が所定量より大きい場合は、走査制御部２６に偏差に対応した信号を走査制御部２６に供給する。走査制御部２６は信号に応じて偏光器２３の走査方向を転写トラックの長手方向に合わせる調整を行う（Ｓ１０６）。
【００４７】
走査方向とトラック方向との偏差が所定量以内である場合（Ｓ１０４）は、走査タイミング、転写トラックの開始位置から終了位置までを走査するようにビームの走査タイミングを同期させる（Ｓ１０８）。なお、開始位置は、イメージセンサ４１により得られた磁化状態のイメージから判定してもよく、再生系３０により開始位置を示すアドレスマーク等を検出して判定してもよい。終了位置も同様にして判定する。
【００４８】
次いで、再生系３０によりトラック毎に記録された情報を通常の方法により再生する（Ｓ１１０）。以上により、未知のフォーマットにより記録された磁気テープの情報を再生することができる。
【００４９】
なお、トラックが磁気テープ１１の長手方向に平行に形成されている場合、例えばビデオテープの音声信号やサーペンタイン方式のフォーマットを有している場合は、再生（Ｓ１１０）においてビームの走査を行わず、ビームを所望のトラックに固定して行う。
【００５０】
本実施の形態によれば、磁気テープ１１の情報が記録されたトラックが磁気転写素子１２に磁気的な転写トラックとして転写される。転写トラックの長手方向を偏光器２３によりビームを走査し、トラック方向検出部４３により転写トラックの長手方向を検出し、走査制御部２６により走査方向および走査速度を制御して転写トラックに沿ってビームを走査し、再生することにより、種々のフォーマットを有する磁気テープ１１のトラックに記録された情報を確実に再生することができる。
【００５１】
［実施例］
次に、磁気転写素子の磁性ガーネット膜を組成を異ならせて形成した。磁性ガーネット膜は、液相エピタキシャル法を用いて形成した。このようにして形成した磁性ガーネット膜を非磁性基板と共に５ｍｍ×５ｍｍの大きさにダイアモンドカッターを用いて切り出し、磁気転写素子とした。このようにして形成した磁気転写素子をテレビジョン信号が記録された磁気テープ（保磁力７４０Ｏｅ（５８．５ｋＡ／ｍ)、残留磁束密度１１００Ｇａｕｓｓ（０．１１Ｔ））に接触させて載置し、偏光顕微鏡を用いて磁性ガーネット膜に磁気テープの磁化が転写されたか否かを調べた。なお、良好な磁化状態の像が観察された場合を“○”、磁化状態が欠けているか磁化状態が確認できない場合を“×”とした。
【００５２】
図６は、磁気転写素子の磁性ガーネット膜の特性を示す図である。図６の磁性ガーネット膜の組成は、“｛  ｝”の括弧で囲まれた部分は希土類元素を含むサイトの組成を示し、“［  ］”の括弧で囲まれた部分は鉄元素を含むサイトの組成を示す。
【００５３】
図６を参照するに、試料番号５および６に対して、試料番号１〜４の磁性ガーネット膜は転写状態が良好であることが分かる。試料番号１〜４は、保磁力が７．９ｋＡ／ｍ以下であり、鉄元素を含むサイトにＩｎが添加されていることにより飽和磁化が増加し、磁気転写の効率が向上するので転写状態が良好である。
【００５４】
なお、磁性ガーネット膜は、ＲＦスパッタ法や、レーザアブレーション法により形成してもよい。
【００５５】
以上本発明の好ましい実施の形態について詳述したが、本発明は係る特定の実施の形態に限定されるものではなく、特許請求の範囲に記載された本発明の範囲内において、種々の変形・変更が可能である。
【００５６】
例えば、上述した実施の形態では磁気記録媒体として磁気テープを例に説明したが、本発明は、フレキシブルディスクや金属薄膜の磁性層を有するハードディスクに適用できる。また、本発明は、面内記録方式の磁気記録媒体に限らず、図２に示す転写のメカニズムから垂直記録方式の磁気記録媒体にも適用できることは明らかである。
【図面の簡単な説明】
【００５７】
【図１】本発明の実施の形態に係る磁気情報再生装置の構成図である。
【図２】磁気転写素子および磁気テープの拡大断面図である。
【図３】磁気転写素子の磁性ガーネット膜の磁化状態を示す顕微鏡像である。
【図４】光ビームの走査方向とトラック方向との関係を説明するための模式図である。
【図５】再生方法を示すフローチャートである。
【図６】磁気転写素子の磁性ガーネット膜の特性を示す図である。
【符号の説明】
【００５８】
１０    磁気情報再生装置
１１    磁気記録媒体（磁気テープ）
１２    磁気転写素子
１３    ベースフィルム
１４    磁性層
１５    磁性ガーネット膜
１６    基板
１８、１９    トラック
２０    光源系
２１    光源
２２    偏光子
２３    偏向器
２４    ｆθレンズ
２５    ビームスプリッター
２６    走査制御部
３０    再生系
３１    検光子
３２    ハーフミラー
３３    集光レンズ
３４    光検出器
３５    増幅器
３６    信号処理回路
４０    トラック方向検出系
４１    イメージセンサ
４２    増幅器
４３    トラック方向検出部
【図１】
2006099864.tif 000003
【図２】
2006099864.tif 000004
【図４】
2006099864.tif 000005
【図５】
2006099864.tif 000006
【図６】
2006099864.tif 000007
【図３】
2006099864.tif 000008